(57)【特許請求の範囲】
【請求項１】
平面視または外観視でその断面が多角形に構成された直立角柱の形態をもつ舗石、防護柵材料、壁石としての人造石からなる建築部材であって、
前記多角形は、６角形を、前記６角形を形成している６辺のうちの少なくとも２つが一直線にならないように変形したものであり、
前記多角形の頂点のうち前記６角形の６つの頂点に対応する６つの頂点の内角がそれぞれ６０°以上であり、かつ、前記多角形は、前記６角形の６辺に対応すると共に交互に設けられた３つの第１辺（２，３，４、又は、１８，１９，２０）及び３つの第２辺（２’，３’，４’ 、又は、１８’，１９’，２０’）を備え、
前記３つの第１辺（２，３，４、又は、１８，１９，２０）のうち少なくとも２つは異なる形状であり、前記３つの第１辺（２，３，４、又は、１８，１９，２０）の各々に、隣接辺としての前記第２辺（２’，３’，４’ 、又は、１８’，１９’，２０’）の各々が対応しており、
前記第２辺（２’，３’，４’ 、又は、１８’，１９’，２０’）の各々は、対応する前記第１辺（２，３，４、又は、１８，１９，２０）との共通の頂点（５）を中心として、対応する前記第１辺（２，３，４又は１８，１９，２０）を回転移動させたものとして規定されることを特徴とする建築部材。
【請求項２】
前記３つの第１辺（２，３，４）がいずれも隣接する第１辺と鏡対称とはなっていないことを特徴とする請求項１に記載の建築部材。
【請求項３】
前記３つの第１辺の少なくとも２つが異なる長さを有していることを特徴とする請求項１又は２に記載の建築部材。
【請求項４】
前記第１辺（２，３，４、又は、１８，１９，２０）及び前記第２辺（２’，３’，４’ 、又は、１８’，１９’，２０’）のうち少なくとも１つ辺が、この建築部材（１又は１７）の高さ全体にわたって延びる凹部を構成することを特徴とする請求項１〜３のいずれかに記載の建築部材。
【請求項５】
前記断面が、この建築部材（１又は１７）の高さ全体にわたって貫通する少なくとも１つの開口を有していることを特徴とする請求項１〜４のいずれかに記載の建築部材。
【請求項６】
この少なくとも２つの建築部材（１又は１７）が一体的な結合によって１つの建築部材ユニットとして組み合わされることを特徴とする請求項１〜５のいずれかに記載の建築部材。
【請求項７】
前記多角形は、平面視で３６０°またはこの値の倍数の回転移動によってのみ元の形に合致することが可能であることを特徴とする請求項１〜６のいずれかに記載の建築部材。
【発明の詳細な説明】
【０００１】
本発明は、平面視または外観視でその断面が多角形に構成された直立角柱の形態をもつ舗石、防護柵材料、壁石としての人造石からなる建築部材に関する。
【０００２】
一般には舗石としてのみ知られているこの種の建築部材は、６角形の断面を有している場合には、各辺の長さが等しい６角形の断面を有しており、それによって問題のない敷設可能性を保証し、すなわち、各部材を常に隙間なく並べて石舗装できることを保証している。このことは、その６角形の辺が直線状に形成されておらず、非直線状ないし幾何形状化されて延びている場合にも、別の形で当てはまる。すなわちその場合には、周囲全体にわたって均等に６角形の辺が２つのハーフグループに分けられ、そのうちの一方が他方に対して陰画（ネガティブ）形状となる。
【０００３】
上述したことは、厚さや高さの点でしか舗石とは異なっていない、冒頭に述べた種類の防護柵材料や壁石についても、同じように当てはまる。
【０００４】
このような形態の公知の建築部材は並べて配置され、目に見えるように残された横断面に関して１つの規則正しいパターンを形成し、このようなパターンは美観の点から、課せられた要求を満足させている場合が多い。しかしながらこうしたパターンがあまりにも規則正しくて単調であると感じられる場合、上に説明した６角形の断面という範疇の中では代替案が作り出せない。
ＵＳ−Ａ−５９４１６５７（米国特許公報）より、冒頭に述べたタイプの６角形の基本形状を全体として有している、５角形の舗石の三つ組みが公知である。隙間のない敷設可能性を保証するために、この公知の舗石の三つ組みは３つの対称軸を有しており、１２０°および２４０°だけ回転移動させることによって再び元の形に合致することができる。このような対称性は、用途によっては単調すぎると感じられる規則正しいパターンを生むことにつながる。
【０００５】
したがって本発明の課題は、冒頭に述べた種類の建築部材について６角形の辺に関する形態可能性の幅を広げ、それにより、６角形の辺の延びから生じる線形状でもって、比較的大きな不規則性をもつ敷設パターンもつくることができるようにすることである。
【０００６】
この課題は本発明によれば、平面視または外観視でその断面が多角形に構成された直立角柱の形態をもつ舗石、防護柵材料、壁石としての人造石からなる建築部材であって、前記多角形は、６角形を、前記６角形を形成している６辺のうちの少なくとも２つが一直線にならないように変形したものであり、 前記多角形の頂点のうち前記６角形の６つの頂点に対応する６つの頂点の内角がそれぞれ６０°以上であり、かつ、前記多角形は、前記６角形の６辺に対応すると共に交互に設けられた３つの第１辺及び３つの第２辺を備え、前記３つの第１辺のうち少なくとも２つは異なる形状であり、前記３つの第１辺の各々に、隣接辺としての前記第２辺の各々が対応しており、前記第２辺の各々は、対応する前記第１辺との共通の頂点を中心として、対応する前記第１辺を回転移動させたものとして規定されることによって解決される。
【０００７】
こうした本発明の解決策は、等辺６角形から逸脱することができ、特に、６角形の辺のための所定の形状によって与えられる、冒頭に述べたような種類の規則性を守らなくてもよくなるという効果を有している。むしろ本発明では、造形の自由が得られる結果として、隣接する建築部材のパターンが広い範囲で不規則になり、この種の不規則性は、多種多様な美観上の希望を満足させるのに有用である。
【０００８】
具体的に言えば、本発明による課題解決の基本は、３つの異なる長さまたは異なる形状あるいはその両方を有する第１辺を有する建築部材であり、その各々が共通の頂点を中心とする回転移動によって第２辺を規定していることである。以上から明らかなとおり、建築部材の辺の形態に関して種々の多様性が可能となる。
【０００９】
本発明によれば、３つの第１辺のいずれも、隣接する第１辺の鏡対称とはなっていないことも可能であり、これは本課題を解決する目的に適っている。このようにして、本発明の建築部材が対称軸を有さないように配慮され、つまり、対称軸によって与えられる規則性もなくなるように配慮されている。
【００１０】
本発明の建築部材を舗石として使用する場合、辺の少なくとも１つが、建築部材の高さ全体にわたって延びる少なくとも１つの凹部を備えているか、または断面が、建築部材の高さ全体にわたって貫通する少なくとも１つの開口を有していると有利であり、それにより、それ自体公知のやり方で表面の水を排出することが可能になる。
【００１１】
最後に、たとえば割石の表面として、ないし割石の表面のような形式で構造化を与えることによって、建築部材の６角形の表面のうちの１つに対して造形的な作用を付与することもできる。
【００１２】
本発明のその他の構成要件や具体的事項は、図面に示されている実施形態についての以下の説明から明らかである。
【００１３】
図１からわかるように、人工石からなる建築部材１の断面は、異なる形状をもつ３つの第１辺２，３および４を有しており、図を見やすくするために、これらの辺の端部が特に点５で図示されている。第１辺２，３および４には、第２辺２’，３’および４’が対応しており、これらは共通の頂点を中心とする回転移動によって得られているという意味で、対応する第１辺に関係している。このことを辺２を例にとって明示するため、円弧矢印６が参照される。この円弧矢印は、共通の頂点ないし終端点５を中心とする辺２の回転移動によって、どのように辺２’が得られるかを示している。このような種類の造形の結果、それぞれ対応する第２辺は、建築部材１の外部から見たとき、各々に対応する第１辺の陰画形状となっている。
【００１４】
図２は、図１を参照して説明した断面形状をもつ舗石７を斜視図で示しており、このような断面形状によって、舗石に通常見られるような、高さの少ない直立した角柱が形成されていることを示している。
【００１５】
図３は、図２の舗石７で敷設された石舗装の一部を示しており、図１の断面形状によって構成された建築部材を隙間なく、かつすべての辺が合うように相並んで敷設できることを示している。
【００１６】
図４は、図１を参照して説明した断面形状をもつ壁石８から構成された壁の一部を示しており、この壁石８が図２の舗石７と異なっているのは、より大きな高さないし厚さを有しているという点だけである。壁が上部と下部で直線状に終わるようにするため、最後の壁石を石８の相応の分割によって形成するか、または、断面幾何形状が隣接する壁石８の側面幾何形状に適合している端面形成石９を使用することができる。
【００１７】
図１に示す断面形状で、もっと高さの高い直立角柱をつくると、図５に斜視図で示しているような防護柵材料１０が出来あがる。これに対応して図６は、このような防護柵材料１０で構成された防護柵を示しており、外側から見たこの防護柵の外観形状は、やはり堅苦しさが和らいだ外観を呈している。
【００１８】
図７は、建築部材１７の第３の断面形状を示している。ここでは第１辺１８，１９，２０が示されており、これらの辺によって、すでに図１を参照して説明したやり方で、それぞれ第１辺が共通の頂点を中心として対応する第２辺の位置へと回転移動することによって、対応する第２辺１８’，１９’，２０’が作り出されており、それによって同じく、建築部材１７の外側から見たとき、それぞれの第２辺が対応する第１辺の陰画形状となっている。
【００１９】
最後に図８は、図７の建築部材１７を組み合わせることによって得られるパターンを示しており、これは石舗装であっても積み上げた壁であってもよく、この場合にもやはり図４を参照して説明したように、直線状の終端縁を、そこに置かれた建築部材の相応の切断によって、または特別な端面形成石によって作り出すことができる。
【００２０】
以上から明らかなとおり、本発明による構成原理は、当分野に属する建築部材の多種多様な断面形状の製作を容易に可能にするものであり、建築部材同士のつなぎ合わせが問題になることもない。いっそう幅広い造形を生み出すため、もしくは敷設をしやすくするために、たとえば前述した建築部材の２つまたは４つが一体的に組み合わされた建築部材を提供することも、本発明の範囲内に含まれる。
【図面の簡単な説明】
【図１】本発明による建築材料の第１実施形態を示す平面図である
【図２】舗石としての図１の建築材料を示す斜視図である
【図３】図２の部材による石舗装の一部を示す斜視図である
【図４】壁石としての図１の建築部材で製作された壁を示す部分図である
【図５】図１に示す断面をもつ防護柵材料を示す斜視図である
【図６】図５の防護柵材料で製作した防護柵の一部を示す斜視図である
【図７】本発明による建築材料のさらに別の実施形態を示す平面図である
【図８】図７の部材によって得られる敷設パターンを示す部分図である
【図１】
0004836380.tif 000002
【図２】
0004836380.tif 000003
【図３】
0004836380.tif 000004
【図４】
0004836380.tif 000005
【図５】
0004836380.tif 000006
【図６】
0004836380.tif 000007
【図７】
0004836380.tif 000008
【図８】
0004836380.tif 000009